(57)【要約】【課題】  受信される無線出力信号を復調せずに安定して自由度高く光信号として中継ポイントへ長距離伝送し得る可搬性の良いアンテナユニット部を含むワイヤレスカメラ用信号伝送装置を提供すること。【解決手段】  この装置の場合、アンテナユニット部１２ではカメラ１１からの撮像無線信号をアンテナ１５で受信して得られた無線出力信号がＬｉＮｂＯ３結晶による光変調器１６に伝送され、中継ポイント１４では電源部２０から電源供給されたレーザ駆動回路１９からの駆動信号に従ってレーザ発生器１８により発生（発光）した無変調の光信号が光複合ケーブル１３を介して光変調器１６に伝送される。光変調器１６では無変調の光信号が無線出力信号により変調を受けて生成された光変調信号を再度ケーブル１３を介してＯ／Ｅ変換部１７へ伝送し、ここで光／電気変換されて無線周波数の撮像データ無線信号が復元出力される。【選択図】  図１
2006211534.tif 000002
【特許請求の範囲】
【請求項１】
ワイヤレスカメラに対向して配置されるアンテナユニット部側において該ワイヤレスカメラからの撮像無線信号を受信して得られる無線出力信号に応じた光信号を生成してから光ケーブルを介して中継ポイント側へ伝送した後、該中継ポイント側において該光信号を無線周波数の電気信号に変換するワイヤレスカメラ用信号伝送方法であって、前記アンテナユニット部側では、前記撮像無線信号をアンテナで受信して前記無線出力信号を出力する無線信号受信段階と、前記無線出力信号を周波数変換又は変調方式変換を行わずに無線周波数のまま用いて無変調の光信号に対して光変調させることにより光変調信号を生成する無線周波数光変調段階と、前記光変調信号を前記光ケーブルを介して前記中継ポイント側に伝送する光変調信号伝送段階とを有し、前記中継ポイント側では、前記光変調信号を光／電気変換して無線周波数の撮像データ信号として復元する無線周波数信号復元段階を有することを特徴とするワイヤレスカメラ用信号伝送方法。
【請求項２】
請求項１記載のワイヤレスカメラ用信号伝送方法において、前記中継ポイント側では、前記ワイヤレスカメラに対する制御信号を別のアンテナユニット部側へ伝送する別アンテナユニット向け制御信号伝送段階を有し、前記別のアンテナユニット部側では、前記制御信号を前記ワイヤレスカメラへ伝送する別アンテナユニット側制御信号伝送段階を有することを特徴とするワイヤレスカメラ用信号伝送方法。
【請求項３】
ワイヤレスカメラからの撮像無線信号を受信して得られる無線出力信号に応じて光信号を生成すると共に、該ワイヤレスカメラに対向して配置されるアンテナユニット部と、前記アンテナユニット部に対して光ケーブルを介して結合されると共に、前記光信号を無線周波数の電気信号に変換する中継ポイントとを備えたワイヤレスカメラ用信号伝送装置において、前記アンテナユニット部は、前記撮像無線信号を受信して前記無線出力信号を得るためのアンテナと、前記無線出力信号を周波数変換又は変調方式変換せずに無線周波数のまま用いて無変調の光信号に対して光変調させることにより光変調信号を生成する光変調器とを有し、前記中継ポイントは、前記光ケーブルを介して前記アンテナユニット部から伝送された前記光変調信号を光／電気変換して無線周波数の撮像データ信号として復元する光・電気変換器を有することを特徴とするワイヤレスカメラ用信号伝送装置。
【請求項４】
請求項３記載のワイヤレスカメラ用信号伝送装置において、前記光変調器には、ＬｉＮｂＯ３結晶による光導波路型ＬｉＮｂＯ３光変調器が用いられ、前記中継ポイントは、前記光変調器における前記光変調信号の生成を行わせるための手段であって、電源供給するための電源部と、前記電源部から電源供給されてレーザを駆動するための駆動信号を出力するレーザ駆動回路と、前記レーザ駆動回路からの前記駆動信号に従って前記無変調の光信号を発生して前記光ケーブルを介して前記光変調器へ伝送するレーザ発生器とを備え、更に、前記光導波路型ＬｉＮｂＯ３光変調器は、前記無変調の光信号が前記無線出力信号によって変調を受けることにより前記光変調信号を生成するものであることを特徴とするワイヤレスカメラ用信号伝送装置。
【請求項５】
請求項３記載のワイヤレスカメラ用信号伝送装置において、前記光変調器には、電気／光変調器が用いられ、前記アンテナユニット部は、電源供給するための電源部と、前記電源部から電源供給されてレーザを駆動するための駆動信号を出力するレーザ駆動回路と、前記レーザ駆動回路からの前記駆動信号に従って前記無変調の光信号を発生するレーザ発生器と、前記電源部から電源供給されて前記無変調の光信号の強度を増幅調整するアンプとを備え、更に、前記電気／光変調器は、前記無線出力信号により前記無変調の光信号を変調させることで電気／光変調を行って前記光変調信号を生成するものであることを特徴とするワイヤレスカメラ用信号伝送装置。
【請求項６】
請求項３記載のワイヤレスカメラ用信号伝送装置において、前記光変調器には、電気／光変調器が用いられ、前記中継ポイントは、前記光変調器における前記光変調信号の生成を行わせるための手段であって、電源供給するための電源部と、前記電源部から電源供給されてレーザを駆動するための駆動信号を出力するレーザ駆動回路と、前記レーザ駆動回路からの前記駆動信号に従って前記無変調の光信号を発生して前記光ケーブルを介して前記光変調器へ伝送するレーザ発生器とを備え、前記アンテナユニット部は、電源供給する電源部と、前記電源部から電源供給されて前記無変調の光信号の強度を増幅調整するアンプとを備え、更に、前記電気／光変調器は、前記無線出力信号により前記無変調の光信号を変調させることで電気／光変調を行って前記光変調信号を生成するものであることを特徴とするワイヤレスカメラ用信号伝送装置。
【請求項７】
請求項３〜６の何れか一つに記載のワイヤレスカメラ用信号伝送装置において、前記中継ポイントは、前記ワイヤレスカメラに対する制御信号を別のアンテナユニット部へ伝送し、前記別のアンテナユニット部は、前記制御信号を前記ワイヤレスカメラへ伝送することを特徴とするワイヤレスカメラ用信号伝送装置。
【発明の詳細な説明】
【技術分野】
【０００１】
本発明は、主として屋外で行われるスポーツ，各種イベント，出来事等を現場テレビ中継する場合に適用されると共に、カメラマンの行動を容易にするためにカメラ本体の動きを規制するコードを持たずに撮像の無線通信を行うワイヤレスカメラ用信号伝送方法及び装置であって、詳しくは光伝送方式を適用したワイヤレスカメラ用信号伝送方法及び装置に関する。
【背景技術】
【０００２】
従来、一般的なワイヤレスカメラ用信号伝送装置に関連する技術としては、例えば移動送信をする送信装置の可動範囲を拡大して送信装置の機動性を確保した無線受信装置及び方法（特許文献１参照）、無線撮像装置と受信基地局との間の通信の際に応答時間に問題がなく、電波効率上の問題を発生させることなく実質的に全二重通信と同様の通信プロトコルを確立することが可能な無線撮像装置の制御方法（特許文献２参照）が挙げられる。
【０００３】
これらのワイヤレスカメラ用信号伝送装置は、何れもテレビジョン放送の中継現場の撮影用ワイヤレスカメラを備えるものであるが、特許文献１の場合には画像処理が複雑となって装置全体が高価になってしまうという問題があり、特許文献２の場合には構成部分の部品点数が多過ぎて装置全体が大規模になってしまうという問題がある。
【０００４】
そこで、こうした問題を解消するためのワイヤレスカメラ用信号伝送装置に関連する他の技術としては、例えば図４に示すような光伝送方式を適用した構成のもの（開発済みであるが、文献公知に係る発明でないもの）が挙げられる。このワイヤレスカメラ用信号伝送装置は、現場テレビ中継用のワイヤレスカメラ１１からの撮像無線信号をアンテナ１５で受信して得られる無線出力信号に応じて光信号を生成すると共に、ワイヤレスカメラ１１に対向して配置されるアンテナユニット部４２と、アンテナユニット部４２に対して光複合ケーブル１３を介して結合されると共に、光信号を無線周波数の撮像データ信号（電気信号）に変換する光／電気（Ｏ／Ｅ）変換器１７を持つ中継ポイント２４とを備えて構成されている。
【０００５】
このうち、ワイヤレスカメラ１１は、周波数についての割り当てや伝送帯域を広くする必要があり、特にハイビジョン方式に適用させるためには一層広帯域が要求されるため、カメラ本体に用いられるアンテナを小型化させた上で使用周波数が７ＧＨｚ帯となっている。
【０００６】
アンテナユニット部４２は、上述したようにハイビジョン方式を適用したワイヤレスカメラ１１からの７ＧＨｚ帯の撮像無線信号を受信して無線出力信号を出力するアンテナ１５を備える他、各部へ電源供給する電源部２９と、電源部２９から電源供給されてアンテナ１５からの無線出力信号を復調して中間周波数（ＩＦ）信号に変換して出力する復調器３０と、電源部２９から電源供給されてレーザを駆動するための駆動信号を出力するレーザ駆動回路２６と、レーザ駆動回路２６からの駆動信号に従って復調器３０からの中間周波数信号に応じてレーザによる光信号を発生するレーザダイオード（ＬＤ）を持つレーザ発生器２５とを備えて構成される。
【０００７】
【特許文献１】特開２００２−８４２６１号公報（要約）
【特許文献２】特開２００３−２９８９１７号公報（要約）
【発明の開示】
【発明が解決しようとする課題】
【０００８】
上述した図４に示す光伝送方式を適用したワイヤレスカメラ用信号伝送装置の場合、ワイヤレスカメラで７ＧＨｚという高周波の撮像無線信号を使用していることに伴い、アンテナユニット部ではレーザ発生器のレーザダイオードに直接的に変調をかけることができないため、無線出力信号を復調して中間周波数信号に変換するための復調器が必要となっているが、このような復調器を持つ構成であれば、アンテナユニット部を小型化，軽量化するには限界があり、アンテナユニット部を適宜ワイヤレスカメラを追跡して対向設置させるように常に見通しの良い範囲に移動することが困難になってしまうという問題がある。
【０００９】
即ち、ワイヤレスカメラ用信号伝送装置におけるアンテナユニット部は、ワイヤレスカメラ程には可搬性を必要とされないとはいえ、７ＧＨｚにも及ぶ高い使用周波数帯域では無線電波の直進性が高過ぎてしまうことにより、例えば物陰等にワイヤレスカメラが隠れるとアンテナユニット部に電波が届かなくなってしまうので、こうした不都合を解消するためにアンテナユニット部を小型化，軽量化した上で或る程度可搬性を良くしてワイヤレスカメラを常時追跡移動することで対策できるが、復調器を有する構成のアンテナユニット部であれば、小型化，軽量化に限界が生じるためにワイヤレスカメラの追跡移動が困難になってしまうという不都合がある。
【００１０】
又、このように復調器を有する構成のアンテナユニット部がワイヤレスカメラに対する追跡移動が困難であることにより、現状のワイヤレスカメラ用信号伝送方法の場合には、アンテナユニット部で受信される無線出力信号を安定して自由度高く光信号として中継ポイントへ長距離伝送することが困難になっているという欠点がある。
【００１１】
本発明は、このような問題点を解決すべくなされたもので、その技術的課題は、アンテナユニット部側で受信される無線出力信号を復調せずに安定して自由度高く光信号として中継ポイントへ長距離伝送し得るワイヤレスカメラ用信号伝送方法、及びそれを適用した可搬性の良いアンテナユニット部を含むワイヤレスカメラ用信号伝送装置を提供することにある。
【課題を解決するための手段】
【００１２】
本発明によれば、ワイヤレスカメラに対向して配置されるアンテナユニット部側において該ワイヤレスカメラからの撮像無線信号を受信して得られる無線出力信号に応じた光信号を生成してから光ケーブルを介して中継ポイント側へ伝送した後、該中継ポイント側において該光信号を無線周波数の電気信号に変換するワイヤレスカメラ用信号伝送方法であって、アンテナユニット部側では、撮像無線信号をアンテナで受信して無線出力信号を出力する無線信号受信段階と、無線出力信号を周波数変換又は変調方式変換を行わずに無線周波数のまま用いて無変調の光信号に対して光変調させることにより光変調信号を生成する無線周波数光変調段階と、光変調信号を光ケーブルを介して中継ポイント側に伝送する光変調信号伝送段階とを有し、中継ポイント側では、光変調信号を光／電気変換して無線周波数の撮像データ信号として復元する無線周波数信号復元段階を有するワイヤレスカメラ用信号伝送方法が得られる。
【００１３】
又、本発明によれば、上記ワイヤレスカメラ用信号伝送方法において、中継ポイント側では、ワイヤレスカメラに対する制御信号を別のアンテナユニット部側へ伝送する別アンテナユニット向け制御信号伝送段階を有し、別のアンテナユニット部側では、制御信号をワイヤレスカメラへ伝送する別アンテナユニット側制御信号伝送段階を有するワイヤレスカメラ用信号伝送方法が得られる。
【００１４】
一方、本発明によれば、ワイヤレスカメラからの撮像無線信号を受信して得られる無線出力信号に応じて光信号を生成すると共に、該ワイヤレスカメラに対向して配置されるアンテナユニット部と、アンテナユニット部に対して光ケーブルを介して結合されると共に、光信号を無線周波数の電気信号に変換する中継ポイントとを備えたワイヤレスカメラ用信号伝送装置において、アンテナユニット部は、撮像無線信号を受信して無線出力信号を得るためのアンテナと、無線出力信号を周波数変換又は変調方式変換せずに無線周波数のまま用いて無変調の光信号に対して光変調させることにより光変調信号を生成する光変調器とを有し、中継ポイントは、光ケーブルを介してアンテナユニット部から伝送された光変調信号を光／電気変換して無線周波数の撮像データ信号として復元する光／電気変換器を有するワイヤレスカメラ用信号伝送装置が得られる。
【００１５】
又、本発明によれば、上記ワイヤレスカメラ用信号伝送装置において、光変調器には、ＬｉＮｂＯ３結晶による光導波路型ＬｉＮｂＯ３光変調器が用いられ、中継ポイントは、光変調器における光変調信号の生成を行わせるための手段であって、電源供給するための電源部と、電源部から電源供給されてレーザを駆動するための駆動信号を出力するレーザ駆動回路と、レーザ駆動回路からの駆動信号に従って無変調の光信号を発生して光ケーブルを介して光変調器へ伝送するレーザ発生器とを備え、更に、光導波路型ＬｉＮｂＯ３光変調器は、無変調の光信号が無線出力信号によって変調を受けることにより光変調信号を生成するものであるワイヤレスカメラ用信号伝送装置が得られる。
【００１６】
更に、本発明によれば、上記ワイヤレスカメラ用信号伝送装置において、光変調器には、電気／光変調器が用いられ、アンテナユニット部は、電源供給するための電源部と、電源部から電源供給されてレーザを駆動するための駆動信号を出力するレーザ駆動回路と、レーザ駆動回路からの駆動信号に従って無変調の光信号を発生するレーザ発生器と、電源部から電源供給されて無変調の光信号の強度を増幅調整するアンプとを備え、更に、電気／光変調器は、無線出力信号により無変調の光信号を変調させることで電気／光変調を行って光変調信号を生成するものであるワイヤレスカメラ用信号伝送装置が得られる。
【００１７】
加えて、本発明によれば、上記ワイヤレスカメラ用信号伝送装置において、光変調器には、電気／光変調器が用いられ、中継ポイントは、光変調器における光変調信号の生成を行わせるための手段であって、電源供給するための電源部と、電源部から電源供給されてレーザを駆動するための駆動信号を出力するレーザ駆動回路と、レーザ駆動回路からの駆動信号に従って無変調の光信号を発生して光ケーブルを介して光変調器へ伝送するレーザ発生器とを備え、アンテナユニット部は、電源供給する電源部と、電源部から電源供給されて無変調の光信号の強度を増幅調整するアンプとを備え、更に、電気／光変調器は、無線出力信号により無変調の光信号を変調させることで電気／光変調を行って光変調信号を生成するものであるワイヤレスカメラ用信号伝送装置が得られる。
【００１８】
他方、本発明によれば、上記何れか一つのワイヤレスカメラ用信号伝送装置において、中継ポイントは、ワイヤレスカメラに対する制御信号を別のアンテナユニット部へ伝送し、別のアンテナユニット部は、制御信号をワイヤレスカメラへ伝送するワイヤレスカメラ用信号伝送装置が得られる。
【発明の効果】
【００１９】
本発明のワイヤレスカメラ用信号伝送方法の場合、アンテナユニット部側ではハイビジョン方式を適用したワイヤレスカメラからの７ＧＨｚ帯の撮像無線信号を無線信号受信段階においてアンテナで受信して無線出力信号として出力し、これに続く無線周波数光変調段階において無線出力信号を周波数変換又は変調方式変換を行わずに（復調せずに）無線周波数のまま用いて無変調の光信号に対して光変調させることにより光変調信号を生成した後、光変調信号伝送段階において光変調信号を光ケーブルを介して中継ポイント側に伝送（光伝送）するようにし、中継ポイント側では無線周波数信号復元段階において光変調信号を光／電気（Ｏ／Ｅ）変換して無線周波数の撮像データ信号として復元するようにしているので、アンテナユニット部側で受信される無線出力信号を復調せずに安定して自由度高く光信号として中継ポイントへ長距離伝送し得るようになる。即ち、このワイヤレスカメラ用信号伝送方法によれば、ワイヤレスカメラが可搬で行動の自由度が大きいことが周知であるのに対し、それを追従するアンテナユニット部側についても小型化，軽量化を具現できることにより、ワイヤレスカメラの行動範囲を広げる役割を果たし、アンテナユニット部側で無線周波数のまま中継ポイント側へ光伝送を行うことになるため、結果としてアンテナユニット部側及び中継ポイント側の間における光伝送を容易に数キロメートルに及んで無中継で行うことができるようになる。これに対し、係る方法を適用した本発明のワイヤレスカメラ用信号伝送装置では、アンテナユニット部に可搬性を制限する復調器を持たせず、７ＧＨｚで直接変調が可能な光変調器として導波路型ＬｉＮｂＯ３光変調器又は電気／光（Ｅ／Ｏ）変調器を備えるようにし、これらの光変調器がアンテナで得られる無線出力信号を周波数変換又は変調方式変換を行わずに（復調せずに）無線周波数のまま用いて無変調の光信号に対して光変調させることにより生成した光変調信号を光ケーブルを介して中継ポイントへ伝送（光伝送）し、中継ポイントでは光変調信号を光／電気（Ｏ／Ｅ）変換して無線周波数の撮像データ無線信号として復元する構成としているので、アンテナユニット部が周波数変換又は変調方式変換（復調）を一切行わないためにその構成を簡素化して消費電力についても低減化させ、小型化，軽量化できることにより、結果として従来装置の場合と比べて光ケーブルにより送らなければならない電力が削減されて一層細線光ケーブルでも長距離伝送が可能となる他、光ケーブルについも軽量化，可搬性が増してアンテナユニット部の可搬性、並びに伝送距離の長距離化に寄与できるようになり、しかもワイヤレスカメラを追跡移動することが多くてより振動の加わるアンテナユニット部の使用部品点数（特に能動素子）を少なくすることで光伝送の信頼性を高めることも可能になる。又、本発明のワイヤレスカメラ用信号伝送方法及び装置の何れについても、中継ポイントがワイヤレスカメラに対する制御信号を別のアンテナユニット部へ伝送し、別のアンテナユニット部が制御信号をワイヤレスカメラへ伝送することにより、中継ポイント及びワイヤレスカメラの撮像範囲における適確な照合が図られるようになり、カメラマンのワイヤレスカメラにおける撮像範囲の設定ミス等による現場テレビ中継でのトラブルが低減され、現場テレビ中継提供画像における品質や安全性を高められるようになる。
【発明を実施するための最良の形態】
【００２０】
本発明の最良の形態に係るワイヤレスカメラ用信号伝送方法は、現場テレビ中継用のハイビジョン方式を適用したワイヤレスカメラに対向して配置されるアンテナユニット部側においてワイヤレスカメラからの７ＧＨｚ帯の撮像無線信号を受信して得られる無線出力信号に応じた光信号を生成してから光ケーブルを介して中継ポイント側へ伝送した後、中継ポイント側において光信号を無線周波数の電気信号に変換する際、アンテナユニット部側では、撮像無線信号をアンテナで受信して無線出力信号を出力する無線信号受信段階と、無線出力信号を周波数変換又は変調方式変換を行わずに無線周波数のまま用いて無変調の光信号に対して光変調させることにより光変調信号を生成する無線周波数光変調段階と、光変調信号を光ケーブルを介して中継ポイント側に伝送する光変調信号伝送段階とを有し、中継ポイント側では、光変調信号を光／電気（Ｏ／Ｅ）変換して無線周波数の撮像データ信号として復元する無線周波数信号復元段階を有するようにしたものである。
【００２１】
但し、このワイヤレスカメラ用信号伝送方法の場合、中継ポイント及びワイヤレスカメラの撮像範囲における適確な照合を図るため、中継ポイント側では、ワイヤレスカメラに対する制御信号を別のアンテナユニット部側へ伝送する別アンテナユニット向け制御信号伝送段階を有し、別のアンテナユニット部側では、制御信号をワイヤレスカメラへ伝送する別アンテナユニット側信号伝送段階を有するようにすることが好ましい。
【００２２】
一方、係る方法を適用した本発明のワイヤレスカメラ用信号伝送装置では、現場テレビ中継用のハイビジョン方式を適用したワイヤレスカメラからの７ＧＨｚ帯の撮像無線信号を受信して得られる無線出力信号に応じて光信号を生成すると共に、ワイヤレスカメラに対向して配置されるアンテナユニット部と、アンテナユニット部に対して光ケーブルを介して結合されると共に、光信号を電気信号に変換する中継ポイントとを備えることを基本とした上、更に、アンテナユニット部については、撮像無線信号を受信して無線出力信号を得るためのアンテナと、無線出力信号を周波数変換又は変調方式変換せずに無線周波数のまま用いて無変調の光信号に対して光変調することにより光変調信号を生成する光変調器とを有し、中継ポイントについては、光ケーブルを介してアンテナユニット部から伝送された光変調信号を光／電気（Ｏ／Ｅ）変換して無線周波数の撮像データ信号として復元する光・電気変換器を有するものである。
【００２３】
但し、ワイヤレスカメラ用信号伝送装置の場合においても、中継ポイント及びワイヤレスカメラの撮像範囲における適確な照合を図るため、中継ポイントは、ワイヤレスカメラに対する制御信号を別のアンテナユニット部へ伝送するようにし、別のアンテナユニット部は、制御信号をワイヤレスカメラへ伝送するようにすることが好ましい。又、光変調器には、光導波路型ＬｉＮｂＯ３光変調器や電気／光（Ｅ／Ｏ）変調器を用いることが好ましい。
【実施例１】
【００２４】
図１は、本発明の実施例１に係るワイヤレスカメラ用信号伝送装置の基本構成を示したブロック図である。
【００２５】
このワイヤレスカメラ用信号伝送装置の場合、図４に示した従来装置と比べ、現場テレビ中継用のハイビジョン方式を適用したワイヤレスカメラ１１からの７ＧＨｚ帯の撮像無線信号をアンテナ１５で受信して得られる無線出力信号に応じて光信号を生成すると共に、ワイヤレスカメラ１１に対向して配置されるアンテナユニット部１２と、アンテナユニット部１２に対して光複合ケーブル１３を介して結合されると共に、光信号を無線周波数の電気信号に変換する光／電気（Ｏ／Ｅ）変換器１７を持つ中継ポイント１４とを備えた構成であるという点において、大義的な機能構成が共通している。
【００２６】
但し、ここでのアンテナユニット部１２については、復調器３０を持つことなく、無線出力信号を周波数変換又は変調方式変換せずに無線周波数のまま用いて無変調の光信号に対して光変調することにより光変調信号を生成する光変調器１６のみを備えて成り、中継ポイント１４については、光複合ケーブル１３を介してアンテナユニット部１２から伝送された光変調信号を光／電気（Ｏ／Ｅ）変換して無線周波数の撮像データ無線信号として復元する上述した光／電気（Ｏ／Ｅ）変換器１７を備える以外、アンテナユニット部１２における光変調器１６における光変調信号の生成を行わせる手段として、電源供給するための電源部２０と、電源部２０から電源供給されてレーザを駆動するための駆動信号を出力するレーザ駆動回路１９と、レーザ駆動回路１９からの駆動信号に従って無変調の光信号を発生して光複合ケーブル１３を介してアンテナユニット部２における光変調器１６へ伝送するレーザダイオード（ＬＤ）を持つレーザ発生器１８とを備えた構成であるという点において、細部の機能構成が図４に示した従来装置と比べて大きく相違している。尚、ここでのアンテナユニット部１２に備えられる光変調器１６には、ＬｉＮｂＯ３結晶による光導波路型ＬｉＮｂＯ３光変調器が用いられており、レーザ発生器１８から伝送された無変調の光信号がアンテナ１５から伝送された無線出力信号によって変調を受けることにより光変調信号を生成可能な機能を持っている。
【００２７】
即ち、実施例１に係るワイヤレスカメラ用信号伝送装置の場合、アンテナユニット部１２では、ワイヤレスカメラ１１からの撮像無線信号がアンテナ１５で受信され、ここで得られる無線出力信号が直接的にＬｉＮｂＯ３結晶による光変調器１６に伝送される。これに対し、中継ポイント１４では、電源部２０から電源供給されたレーザ駆動回路１９がレーザを駆動するための駆動信号を出力し、このレーザ駆動回路１９からの駆動信号に従ってレーザダイオード（ＬＤ）を持つレーザ発生器１８が無変調の光信号を発生（発光）し、この無変調の光信号を光複合ケーブル１３を介してアンテナユニット部１２における光変調器１６へ伝送する。
【００２８】
そこで、光変調器１６では、中継ポイント１４から到達した無変調の光信号がアンテナ１５からの無線出力信号によって変調を受けることにより無線周波数で変調された光変調信号を生成し、この光変調信号を再度光複合ケーブル１３を介して中継ポイント１４の光／電（Ｏ／Ｅ）変換部１７へ伝送する。この光変調信号は中継ポイント１４の光／電（Ｏ／Ｅ）変換部１７に入力されると、ここで光／電（Ｏ／Ｅ）変換されることにより無線周波数の撮像データ無線信号として復元出力される。
【００２９】
実施例１に係るワイヤレスカメラ用信号伝送装置の場合、図４に示した従来装置の構成と比較すれば、中継ポイント１４側の装置構成が複雑になり大型化されて消費電力も大きくなるが、一般に中継ポイント１４自体は中継車等に設置されるものであるため、その装置の大きさや消費電力は大きな問題とならない。これと引き替えにアンテナユニット部１２側については、アンテナ１５を除く内部が光変調器１６のみで構成されるために装置構成が小型化，軽量化され、しかも光変調器１６には光導波路型ＬｉＮｂＯ３光変調器が用いられていることによりアンテナユニット部１２に電力供給を行うための電源部（図４の装置構成の場合のような電源部２９）が不要となって、極めて小型化，軽量化された装置構成となっている。従って、実施例１に係るワイヤレスカメラ用信号伝送装置によれば、アンテナユニット部１２自体が受信される無線出力信号を復調器を用いて復調すること無く、安定して自由度高く光信号（光変調信号）として中継ポイント１４へ長距離伝送（光伝送）し得る極めて可搬性の良いものとなっている。
【実施例２】
【００３０】
図２は、本発明の実施例２に係るワイヤレスカメラ用信号伝送装置の基本構成を示したブロック図である。
【００３１】
このワイヤレスカメラ用信号伝送装置の場合においても、図４に示した従来装置と比べ、現場テレビ中継用のハイビジョン方式を適用したワイヤレスカメラ１１からの７ＧＨｚ帯の撮像無線信号をアンテナ１５で受信して得られる無線出力信号に応じて光信号を生成すると共に、ワイヤレスカメラ１１に対向して配置されるアンテナユニット部２２と、アンテナユニット部２２に対して光複合ケーブル１３を介して結合されると共に、光信号を無線周波数の電気信号に変換する光／電気（Ｏ／Ｅ）変換器１７を持つ中継ポイント２４（図４に示す従来装置の場合と同じ構成）とを備えた構成、更にアンテナユニット部２２については、アンテナユニット部４２の場合と同様に電源供給するための電源部２９と、電源部２９から電源供給されてレーザを駆動するための駆動信号を出力するレーザ駆動回路２６と、レーザ駆動回路２６からの駆動信号に従って無変調の光信号を発生するレーザ発生器２５とを備えた構成であるという点において、大義的な機能構成が共通している。
【００３２】
但し、ここでのアンテナユニット部２２については、復調器３０を持つことなく、無線出力信号を周波数変換又は変調方式変換せずに無線周波数のまま用いて無変調の光信号に対して光変調することにより光変調信号を生成する光変調器２７と、電源部２９から電源供給されて無変調の光信号の強度を増幅調整するアンプ２８とを備えて成るという点において、細部の機能構成が図４に示した従来装置と比べて相違している。尚、ここでのアンテナユニット部２２に備えられる光変調器２７には、電気／光（Ｅ／Ｏ）変調器が用いられており、無線出力信号により無変調の光信号を変調させることで電気／光（Ｅ／Ｏ）変調を行って光変調信号を生成可能な機能を持っている。
【００３３】
即ち、実施例２に係るワイヤレスカメラ用信号伝送装置の場合、実施例１に係るＬｉＮｂＯ３結晶による光変調器１６の代わりに電／光（Ｅ／Ｏ）変換を行う光変調器２７を用いたもので、アンテナユニット部２２では、ワイヤレスカメラ１１からの撮像無線信号がアンテナ１５で受信され、ここで得られる無線出力信号が直接的に電気／光（Ｅ／Ｏ）変調器による光変調器２７に伝送されると共に、電源部２９から電源供給されたレーザ駆動回路２６より出力される駆動信号に従ってレーザ発生器２５で発生（発光）した無変調の光信号が同様に光変調器２７に伝送される。
【００３４】
そこで、光変調器２７では、電源部２９から電源供給されたアンプ２８により強度の増幅調整が行われる無変調の光信号を無線出力信号により変調させることで電気／光（Ｅ／Ｏ）変調を行って光変調信号を生成し、この無線周波数で変調された光変調信号を光複合ケーブル１３を介して中継ポイント２４へ伝送する。中継ポイント２４に伝送された光変調信号は、光／電（Ｏ／Ｅ）変換部１７に入力されて光／電（Ｏ／Ｅ）変換を受けることにより無線周波数の撮像データ無線信号として復元出力される。
【００３５】
実施例２に係るワイヤレスカメラ用信号伝送装置の場合、図４に示した従来装置の構成と比較すれば、アンテナユニット部２２の構成がレーザ発生器２５を備えるために無電力化できず、共通部分の電源部２９，レーザ駆動回路２６，レーザ発生器２５を備える以外に光変調器２７及びアンプ２８を備えることにより、構成部品点数自体は多くなっているが、図４に示した従来装置の場合のように復調器３０を持たなくても済む分、小型化，軽量化，低消費電力化された装置構成とすることができる。従って、実施例２に係るワイヤレスカメラ用信号伝送装置の場合にも、アンテナユニット部２２自体が受信される無線出力信号を復調すること無く、安定して自由度高く光信号（光変調信号）として中継ポイント２４へ長距離伝送（光伝送）し得る可搬性の良いものとなる。
【実施例３】
【００３６】
図３は、本発明の実施例３に係るワイヤレスカメラ用信号伝送装置の基本構成を示したブロック図である。
【００３７】
このワイヤレスカメラ用信号伝送装置の場合においても、図４に示した従来装置と比べ、現場テレビ中継用のハイビジョン方式を適用したワイヤレスカメラ１１からの７ＧＨｚ帯の撮像無線信号をアンテナ１５で受信して得られる無線出力信号に応じて光信号を生成すると共に、ワイヤレスカメラ１１に対向して配置されるアンテナユニット部３２と、アンテナユニット部３２に対して光複合ケーブル１３を介して結合されると共に、光信号を無線周波数の電気信号に変換する光／電気（Ｏ／Ｅ）変換器１７を持つ中継ポイント１４（図１に示す実施例１に係る装置の場合と同じ構成）とを備えた構成、更にアンテナユニット部２２については、アンテナユニット部４２の場合と同様に電源供給するための電源部２９を備えた構成であるという点において、大義的な機能構成が共通している。
【００３８】
但し、ここでのアンテナユニット部３２については、復調器３０を持つことなく、無線出力信号を周波数変換又は変調方式変換せずに無線周波数のまま用いて無変調の光信号に対して光変調することにより光変調信号を生成する光変調器２７と、電源部２９から電源供給されて無変調の光信号の強度を増幅調整するアンプ２８とを備えて成り、中継ポイント１４については実施例１で説明した通りに光／電気（Ｏ／Ｅ）変換器１７を備える以外、アンテナユニット部１２における光変調器１６における光変調信号の生成を行わせる手段である電源部２０，レーザ駆動回路１９，レーザ発生器１８を備えた構成であるという点において、細部の機能構成が図４に示した従来装置と比べて大きく相違している。
【００３９】
即ち、実施例３に係るワイヤレスカメラ用信号伝送装置の場合、実施例２の装置構成を実施例１の装置構成の形態へと変形して適用させたものであるが、アンテナユニット部３２では、ワイヤレスカメラ１１からの撮像無線信号がアンテナ１５で受信され、ここで得られる無線出力信号が直接的に電気／光（Ｅ／Ｏ）変調器による光変調器２７に伝送される。これに対し、中継ポイント１４では、電源部２０から電源供給されたレーザ駆動回路１９がレーザを駆動するための駆動信号を出力し、このレーザ駆動回路１９からの駆動信号に従ってレーザダイオード（ＬＤ）を持つレーザ発生器１８が無変調の光信号を発生（発光）し、この無変調の光信号を光複合ケーブル１３を介してアンテナユニット部３２における光変調器２７へと電源部２９，アンプ２８を経由して伝送する。
【００４０】
そこで、光変調器２７では、電源部２９から電源供給されたアンプ２８により強度の増幅調整が行われる無変調の光信号を無線出力信号により変調させることで電気／光（Ｅ／Ｏ）変調を行って光変調信号を生成し、この無線周波数で変調された光変調信号を光複合ケーブル１３を介して中継ポイント１４へ伝送する。中継ポイント１４に伝送された光変調信号は、光／電（Ｏ／Ｅ）変換部１７に入力されて光／電（Ｏ／Ｅ）変換を受けることにより無線周波数の撮像データ無線信号として復元出力される。
【００４１】
実施例３に係るワイヤレスカメラ用信号伝送装置の場合、図４に示した従来装置の構成と比較すれば、アンテナユニット部３２の構成が中継ポイント１４のレーザ発生器１８からの無変調の光信号を利用してその強度を増幅調整するためのアンプ２８を要するものであるために無電力化できないが、共通部分は電源部２９だけで従来装置で必要であった復調器３０とレーザ駆動回路２６及びレーザ発生器２５とを不要にして光変調器２７及びアンプ２８を備えれば良く、部品点数が幾分減っている上、図４に示した従来装置の場合のように復調器３０を持たなくても済む分、小型化，軽量化，低消費電力化された装置構成とすることが可能である。従って、実施例３に係るワイヤレスカメラ用信号伝送装置の場合にも、アンテナユニット部３２自体が受信される無線出力信号を復調すること無く、安定して自由度高く光信号（光変調信号）として中継ポイント２４へ長距離伝送（光伝送）し得る相当に可搬性の良いものとなる。
【００４２】
尚、上述した各実施例に係るワイヤレスカメラ用信号伝送装置では説明を省略したが、何れの場合についても、中継ポイント１４，２４がワイヤレスカメラ１１に対する制御信号を図示されない別のアンテナユニット部へ伝送し、別のアンテナユニット部が制御信号をワイヤレスカメラ１１へ伝送する機能を構築すれば、中継ポイント１４，２４及びワイヤレスカメラ１１の撮像範囲における適確な照合が図られるようになる。
【図面の簡単な説明】
【００４３】
【図１】本発明の実施例１に係るワイヤレスカメラ用信号伝送装置の基本構成を示したブロック図である。
【図２】本発明の実施例２に係るワイヤレスカメラ用信号伝送装置の基本構成を示したブロック図である。
【図３】本発明の実施例３に係るワイヤレスカメラ用信号伝送装置の基本構成を示したブロック図である。
【図４】従来のワイヤレスカメラ用信号伝送装置の基本構成を示したブロック図である。
【符号の説明】
【００４４】
１１  ワイヤレスカメラ
１２，２２，３２，４２  アンテナユニット部
１３  光複合ケーブル
１４，２４  中継ポイント
１５  アンテナ
１６，２７  光変調器
１７  光／電気（Ｏ／Ｅ）変換器
１８，２５  レーザ発生器
１９，２６  レーザ駆動回路
２０，２９  電源部
２８  アンプ
３０  復調器
【図１】
2006211534.tif 000003
【図２】
2006211534.tif 000004
【図３】
2006211534.tif 000005
【図４】
2006211534.tif 000006